(57)【要約】【課題】記録媒体（例えば、ＣＤ）再生装置の前面部に用いられる照明光の漏光防止構造を、構成部品点数を増やすことなく安価で提供することを目的とする。【解決手段】記録媒体（例えば、ＣＤ）の挿入／排出用の開口部に隣接し遮光板により分離された複数の照明部と、黒色の不織布が用いられ記録媒体の通るスリットを有し開口部の終端面に設けられたマスクと、複数の照明部の各々を照明する複数の光源が実装された前面基板とからなる漏光防止構造において、マスクは、非透光性のシート部材（例えば、不織布）が用いられると共に開口部の終端面から照明部まで延長した延長部で光源の周囲を囲うように形成され、遮光板と前面基板に圧接するように設けられることを特徴とする。【選択図】図１
2004038080.tif 000002
【特許請求の範囲】
【請求項１】
記録媒体の挿入／排出用の開口部に隣接し遮光板により分離された複数の照明部と、黒色の不織布が用いられ記録媒体の通るスリットを有し該開口部の終端面に設けられたマスクと、該複数の照明部の各々を照明する複数の光源が実装された前面基板とからなる漏光防止構造において、
前記マスクは、非透光性のシート部材が用いられると共に前記開口部の終端面から延長され、前記遮光板と前面基板に圧接するように設けられることを特徴とする漏光防止構造。
【請求項２】
記録媒体の挿入／排出用の開口部に隣接し遮光板により分離された複数の照明部と、黒色の不織布が用いられ記録媒体の通るスリットを有し該開口部の終端面に設けられたマスクと、該複数の照明部の各々を照明する複数の光源が実装された前面基板とからなる漏光防止構造において、
前記マスクは、非透光性の布部材が用いられると共に前記開口部の終端面から延長され、前記光源の周囲を覆うように設けられることを特徴とする漏光防止構造。
【請求項３】
前記マスクは、複数枚重ねて接着された不織布であることを特徴とする請求項１または請求項２に記載の漏光防止構造。
【請求項４】
前記マスクの裏側には、非透光性の補強部材が貼り付けられていることを特徴とする請求項１または請求項２に記載の漏光防止構造。
【請求項５】
前記マスクの裏側面には、前記前面基板に固定できるように両面粘着テープが貼り付けられていることを特徴とする請求項１乃至請求項４に記載の漏光防止構造。
【発明の詳細な説明】
【０００１】
【発明の属する技術分野】
本発明は記録媒体、例えばディスク再生装置の前面部に用いられる照明光の漏光防止構造に関する。
【０００２】
【従来の技術】
従来のＣＤ再生装置の前面部の漏光防止構造を図５を用いて説明する。
【０００３】
図５は従来のＣＤ再生装置の前面部の照明光の漏光防止構造の要部を示す概略図で、（ａ）正面図、（ｂ）Ｂ−Ｂ断面図である。
【０００４】
７０はＣＤ再生装置の前面部の照明光の漏光防止構造で、前面板７１、マスク７５、インジケータ表示部８０、釦８５および前面基板９０などにより構成されている。
【０００５】
前面板７１には、ＣＤ（コンパクトディスク）を挿入／排出するための開口部７２が設けられており、開口部７２の側壁７３に隣接してインジケータ表示部８０の透光部品８１と、釦８５などを組付ける孔が形成されており、インジケータ表示部８０（透光部品８１）と釦８５との間には、それぞれの照明光が漏光しないように、漏光防止壁７７が前面基板９０の表面に当接するように設けられている。
【０００６】
マスク７５は、機器内部の精密機構部などに塵埃が進入するのを防止すると共に、外観上の見栄えをよくするためのもので、一般的には黒色の不織布で形成されている。マスク７５の中央部には、ＣＤの通るスリット（切り込み）７６が形成されており、開口部７２の終端面７４に貼り付けられる。
【０００７】
前面基板９０には、インジケータ表示部８０の透光部品８１と釦８５とを照明する照明用素子（ＬＥＤ）９１や照明用ランプ９２などが実装されている。前面基板９０は、開口部７２の終端面７４に貼り付けられたマスク７５の表面に密着させて設けられる。
【０００８】
【発明が解決しようとする課題】
しかし、上述の漏光防止構造７０では、前面基板９０の撓みや反りなどにより漏光防止壁７７の端面７８と前面基板９０の表面９３との間に隙間が発生する。この隙間から釦８５の照明光がインジケータ表示部８０の方へ、また、インジケータ表示部８０の照明光が釦８５の方へ漏光する。
【０００９】
また、それぞれの照明光が前面基板９０の基板部材の内部に入り込み、基板部材にて導光された光が隣接する箇所で前面基板９０を透過して漏光する。これにより前面部の見栄えが悪くなる。また、漏光の程度により操作性に悪影響を及ぼすおそれがある。
【００１０】
本発明は上述の問題を解決するもので、記録媒体（例えば、ＣＤ）再生装置の前面部に用いられる照明光の漏光防止構造を、構成部品点数を増やすことなく安価で提供することを目的とする。
【００１１】
【課題を解決するための手段】
本発明は上述の目的を達成するもので、記録媒体の挿入／排出用の開口部に隣接し遮光板により分離された複数の照明部と、黒色の不織布が用いられ記録媒体の通るスリットを有し該開口部の終端面に設けられたマスクと、該複数の照明部の各々を照明する複数の光源が実装された前面基板とからなる漏光防止構造において、前記マスクは、非透光性のシート部材が用いられると共に前記開口部の終端面から延長され、前記遮光板と前面基板に圧接するように設けられることを特徴とするものである。
【００１２】
また、記録媒体の挿入／排出用の開口部に隣接し遮光板により分離された複数の照明部と、黒色の不織布が用いられ記録媒体の通るスリットを有し該開口部の終端面に設けられたマスクと、該複数の照明部の各々を照明する複数の光源が実装された前面基板とからなる漏光防止構造において、前記マスクは、非透光性の布部材が用いられると共に前記開口部の終端面から延長され、前記光源の周囲を覆うように設けられることを特徴とするものである。
【００１３】
また、前記マスクは、複数枚重ねて接着された不織布であることを特徴とするものである。
【００１４】
また、前記マスクの裏側には、非透光性の補強部材が貼り付けられていることを特徴とするものである。
【００１５】
また、前記マスクの裏側面には、前記前面基板に固定できるように両面粘着テープが貼り付けられていることを特徴とするものである。
【００１６】
【発明の実施の形態】
本発明の実施の形態に係るＣＤ再生装置の一事例を図１乃至図４を用いて説明する。
【００１７】
先ず、第１の実施の形態について図１および図２を用いて説明する。
【００１８】
図１は本発明の第１の実施の形態に係るＣＤ再生装置の前面部の漏光防止構造の要部を示す概略図で、（ａ）正面図、（ｂ）Ａ−Ａ断面図である。図２は本発明の第１の実施の形態に係るマスクと一部が異なるマスクの要部を示す側断面概略図である。
【００１９】
１０はＣＤ再生装置の前面部の照明光の漏光防止構造で、図１で示すように前面板２０、マスク２５、インジケータ表示部３０、釦３５および前面基板４０などにより構成されている。
【００２０】
前面板２０には、ＣＤ（コンパクトディスク）を挿入／排出するための開口部２１が設けられており、開口部２１の側壁２２に隣接してインジケータ表示部３０の透光部品３１と、釦３５などを組付ける孔が形成されており、インジケータ表示部３０（透光部品３１が挿入されている）と釦３５との間には、それぞれの照明光が漏光しないように、漏光防止壁２６などが設けられている。尚、漏光防止壁２６の端部２８は、前面基板４０の表面４３に設けられたマスク２５に当接するように設けられている。
【００２１】
マスク２５は、機器内部の精密機構部などに塵埃が進入するのを防止すると共に、外観上の見栄えをよくするためのもので、例えば非透光色（黒色）の不織布で形成されている。マスク２５は、開口部２１の終端面２３に貼り付けられ、終端面２３の外周部よりインジケータ表示部３０の漏光防止壁２６まで延長されている。延長した部分には前面基板４０に実装された照明用素子（ＬＥＤ）４１やその他の電子部品などが挿通する孔２７が設けられている。また、開口部２１部分に貼り付けられたマスク２５の中央部には、ＣＤの通るスリット（切り込み）２４が形成されている。
【００２２】
前面基板４０には、インジケータ表示部３０の透光部品３１と釦３５とを照明する照明用素子４１や照明用ランプ４２およびその他の電子部品などが実装されている。前面基板４０は、開口部２１の終端面２３に貼り付けられたマスク２５の表面に密着させて設けられる。
【００２３】
以上説明したように本発明の第１の実施の形態に係る漏光防止構造１０によれば、開口部２１の終端面２３に貼り付けられたマスク２５を、インジケータ表示部３０の漏光防止壁２６まで延長し、さらに、前面基板４０に実装された電子部品の挿通する孔２７を設けることにより、前面基板４０の上面と漏光防止壁２６の端面２８と、インジケータ表示部３０に挿入されている透光部品３１端面とが、弾性を有するマスク２５を介して密着するので隙間ができにくくなる。したがって、釦３５の照明光がインジケータ表示部３０の方へ、または、インジケータ表示部３０の照明光が釦３５の方へ漏光するのを防止することができる。また、透光部品３１のガタツキも防止される。
【００２４】
また、マスク２５に照明用素子４１やその他の電子部品などが挿通する孔２７を設けることにより、前面基板４０の部品が実装されていない部分の表面がマスク２５で覆われる。したがって、基板部材の内部に入り込んだ照明光が導光されて隣接する箇所で基板４０を透過して漏光するのを防止することができる。
【００２５】
上述の効果により、ＣＤ再生装置の前面部の見栄が改善されると共に操作性の向上が図れる。その他に、マスク２５は従来例のマスク７５を延長して漏光防止部を設けたことにより、構成部品点数を増やすことなく安価で照明光の漏光を防止することができる。
【００２６】
尚、本発明の第１の実施の形態では、マスク２５をインジケータ表示部３０の漏光防止壁２６まで延長したが、その他に、図２で示すようにマスク４５では釦３５の照明用ランプ４２の区域まで延長して延長部４６を設けることにより、釦３５の照明部の前面基板４０の表面が覆われるので、照明用ランプ４２の照明光が基板部材の内部に入り込むのが防止され、照明光の漏光防止効果がさらに向上する。
【００２７】
その他に、マスク２５およびマスク４５の厚みを厚くするために、複数枚（２枚）重ねて接着（非透光色の不織布の状態で接着）したもの、または、厚みの厚い非透光色の不織布を用いて形成することにより、増強（特に幅の細い部分）され、位置決めや取扱が容易となり組付作業性の向上が図れる。また、２枚重ねることによりマスクの弾性が増すので、漏光防止壁２６の端面２８と前面基板４０とが、弾性の増したマスクを介して密着するので隙間ができにくくなり、照明光の漏光防止効果がさらに向上する。
【００２８】
その他に、マスク２５およびマスク４５の材料に非透光色（黒色）の不織布を用いたが、前面板の色やデザインなどにマッチした色（例えば、水色）の不織布部材、織布（例えば長繊維織布など）、または、合成樹脂シート部材などを用いることもできる。
【００２９】
次に、本発明の第２の実施の形態を図３および図４を用いて説明する。
【００３０】
図３は本発明の第２の実施の形態に係るＣＤ再生装置の前面部の漏光防止構造の要部を示す側断面概略図である。図４は本発明の第２の実施の形態に係るマスクと一部が異なるマスクの要部を示す側断面概略図である。尚、第２の実施の形態は第１の実施の形態の一部を変更したもので、その他については第１の実施の形態と略同じであるので、同じ構成については同じ符号を付し説明を省略または簡略する。
【００３１】
１１はＣＤ再生装置の前面部の照明光の漏光防止構造で、図３で示すように前面板２０、マスク５０、インジケータ表示部３０、釦３５および前面基板４０などにより構成されている。
【００３２】
マスク５０は、例えば非透光色（黒色）の不織布部５１に、例えば非透光色の補強部材（例えば、黒色のポリカーボネートシート）５２のが裏打ち（接着）された部材が用いられ、マスク４５と略同じ形状に形成されている。尚、ＣＤを挿入／排出する開口部２１の終端面２３部分に貼り付けられたマスク２５の中央部には、ＣＤの通るスリット１４（図示省略）が形成されている。また、終端面２３の外周部より釦３５の照明用ランプ４２の区域まで延長した部分には、インジケータ表示部３０の照明用素子（ＬＥＤ）４１、釦３５の照明用ランプ４２およびその他の電子部品などが挿通する孔２７が設けられている。
【００３３】
以上説明したように本発明の第２の実施の形態に係る漏光防止構造１１によれば、黒色の不織布部５１に補強部材５２が裏打ち（接着）されたマスク５０が用いられるので、不織布単体で形成されたマスク４５よりも増強（特に幅の細い部分）され、位置決めや取扱が容易となり組付作業性の向上が図れる。その他に、本発明の第１の実施の形態と略同じ効果を得ることができる。
【００３４】
尚、本発明の第２の実施の形態のマスク５０では、黒色の不織布部５１に黒色のポリカーボネートシートの補強部材５２が裏打ち（接着）されているが、その他に、図４で示すようにマスク５５には、マスク５０の補強部材５２に、両面粘着テープ５６が接着されているので、組立時にマスク５５が前面基板４０の表面に接着固定される。したがって、マスク５５の幅の細い部分が振動などで位置ずれするのを防止することができる。また、補強部材５２黒色のポリカーボネートシートを用いたが、これに限らず、アルミ板などの金属部材を用いることもできる。
【００３５】
尚、本発明ではＣＤ媒体を用いた装置につて説明したが、これに限らず、その他のディスク媒体やカード媒体を用いた装置にも適用することができる。
【００３６】
【発明の効果】
以上説明したように本発明によれば、記録媒体再生装置の前面部に用いられる照明光の漏光防止構造を、構成部品点数を増やすことなく安価で提供することができる。
【図面の簡単な説明】
【図１】本発明の第１の実施の形態に係るＣＤ再生装置の前面部の漏光防止構造の要部を示す概略図である。
【図２】本発明の第１の実施の形態に係るマスクと一部が異なるマスクの要部を示す側断面概略図である。
【図３】本発明の第２の実施の形態に係るＣＤ再生装置の前面部の漏光防止構造の要部を示す側断面概略図である。
【図４】本発明の第２の実施の形態に係るマスクと一部が異なるマスクの要部を示す側断面概略図である。
【図５】従来のＣＤ再生装置の前面部の漏光防止構造の要部を示す概略図である。
【符号の説明】
１０，１１・・漏光防止構造
２０・・前面板
２１・・開口部
２２・・側壁
２３・・終端面
２４・・スリット
２５，４５，５０，５５・・マスク
２６・・漏光防止壁
２７・・孔
２８・・端面
３０・・インジケータ表示部
３１・・透光部品
３５・・釦
４０・・前面基板
４１・・照明用素子
４２・・照明用ランプ
４３・・表面
４６・・延長部
５１・・不織布部
５２・・補強部材
５６・・両面粘着テープ
【図１】
2004038080.tif 000003
【図２】
2004038080.tif 000004
【図３】
2004038080.tif 000005
【図４】
2004038080.tif 000006
【図５】
2004038080.tif 000007